(57)【要約】【課題】　カートリッジメモリが故障や破損等が生じて、管理情報の読み取りができなくても、記録媒体の記録内容を再生することができる記録再生装置を提供する。【解決手段】　カートリッジメモリ９の故障や損傷等によって記憶されている制御情報の読み出しができない場合でも、記録再生装置１１で磁気テープＭＴを再生できるように、カートリッジメモリ９に記憶されている制御情報のバックアップデータを磁気テープＭＴに記録し、このバックアップデータに基づいて記録再生装置を動作させる。【選択図】　　　図４
2004127488.tif 000002
【特許請求の範囲】
【請求項１】
　カートリッジの内部に記録媒体とカートリッジメモリとを備え、前記カートリッジメモリに記憶されている制御情報の複製を前記記録媒体に記録させた記録媒体カートリッジの記録再生装置であって、前記カートリッジメモリに記憶されている制御情報と、前記記録媒体に記録されている制御情報とを比較し、その比較結果に基づいて前記記録再生装置の記録再生動作を選択するように構成されていることを特徴とする記録再生装置。
【請求項２】
　前記カートリッジメモリに予めパスワードを記憶させておき、外部入力手段から前記パスワードを入力して認証し、この認証結果に基づいて前記記録再生装置の記録再生動作を選択するように構成されていることを特徴とする請求項１に記載の記録再生装置。
【発明の詳細な説明】
【技術分野】
【０００１】
　本発明は、カートリッジメモリを備えた記録媒体カートリッジ及びその記録再生装置に関するものである。
【背景技術】
【０００２】
　従来、磁気テープ等の記録媒体を備えた記録媒体カートリッジには、製造者や製造番号等の製造情報や、使用者や使用日時等の使用履歴情報等の制御情報（管理情報）を記憶させるためのカートリッジメモリが備えられている。このようなカートリッジメモリは、電磁誘導により記録媒体カートリッジの外部と非接触で信号や電力の授受ができることから、記録媒体カートリッジのカートリッジケース内に収納されている（例えば、特許文献１参照）。
【特許文献１】特開２００１−３３２０６４号公報（第２頁、第７、８図）
【発明の開示】
【発明が解決しようとする課題】
【０００３】
　ところで、従来の記録媒体カートリッジのカートリッジメモリは、損傷や劣化によって、制御情報を読み出すことができなくなると、記録再生装置は、記録媒体のデータ等を記録再生することができないという問題があった。
【０００４】
　そこで、本発明は、カートリッジメモリに損傷や劣化等が生じて制御情報の読み取りができなくても、記録媒体の記録内容を再生することができる記録再生装置を提供することを目的とする。
【課題を解決するための手段】
【０００５】
　請求項１に記載の記録再生装置は、カートリッジの内部に記録媒体とカートリッジメモリとを備え、前記カートリッジメモリに記憶されている制御情報の複製を前記記録媒体に記録させた記録媒体カートリッジの記録再生装置であって、前記カートリッジメモリに記憶されている制御情報と、前記記録媒体に記録されている制御情報とを比較し、その比較結果に基づいて前記記録再生装置の記録再生動作を選択するように構成されていることを特徴とする。
【０００６】
　請求項１に記載の記録再生装置によれば、記録媒体カートリッジ内部のカートリッジメモリに記憶された制御情報が記録媒体に複製された記録媒体カートリッジを、記録再生装置に挿入し、カートリッジメモリに記憶された制御情報と、記録媒体に複製された制御情報を比較することで、カートリッジメモリから制御情報を読み取ることができなくなっても、記録媒体に記録された制御情報に基づいて記録再生装置を制御して記録再生を行うことができる。
【０００７】
　請求項２に記載の記録再生装置は、前記カートリッジメモリに予めパスワードを記憶させておき、外部入力手段から前記パスワードを入力して認証し、この認証結果に基づいて前記記録再生装置の記録再生動作を選択するように構成されていることを特徴とする。
【０００８】
　請求項２に記載の記録再生装置によれば、カートリッジメモリに予め制御情報と共にパスワードを記憶させておくことで、カートリッジメモリと記録媒体の制御情報の比較だけではなく、記録再生装置に備える入力手段等から入力されたパスワードを認証して、その認証結果に基づいて記録再生装置を制御することで、記録媒体への不正な記録及び再生を防止することができる。
【発明の効果】
【０００９】
　カートリッジメモリに記憶された制御情報が記録媒体に記録された記録媒体カートリッジを記録再生装置に挿入した際に、でカートリッジメモリの制御情報と記録媒体に記録された制御情報を比較して、この比較結果に基づいて記録再生装置の記録再生を制御することができる。
【００１０】
　また、カートリッジメモリに予めパスワードを記憶させておくことで、このパスワードと使用者が入力したパスワードとの認証を行うことができ、その認証結果に基づいて記録再生装置を制御できるので、記録媒体への不正な記録及び再生を防止することができる。
【発明を実施するための最良の形態】
【００１１】
以下、本発明に係る記録媒体カートリッジ及びその記録再生装置の一実施の形態を、適宜図面を参照して詳細に説明する。なお、本実施の形態では、記録媒体カートリッジとして磁気テープカートリッジを用いた場合を想定している。
【００１２】
まず、本実施の形態に係る磁気テープカートリッジの構成を図１及び図２を参照しながら説明する。参照する図面において、図１は、本実施の形態に係る磁気テープカートリッジの構成を示す分解斜視図である。図２（ａ）は、カートリッジメモリがカートリッジケースの下ハーフに取り付けられた状態を示す斜視図であり、図２（ｂ）は、カートリッジメモリの外観を示す斜視図である。図３は、磁気テープカートリッジを記録再生する記録再生装置を示す斜視図である。図４は、記録再生装置における制御情報の処理方法を示すフローチャートである。
【００１３】
　図１に示すように、磁気テープカートリッジＭＣは、下ハーフ１Ａと上ハーフ１Ｂとに分割して構成されたカートリッジケース１の内部に、記録媒体である磁気テープＭＴが巻装された単一のリール２、磁気テープＭＴをカートリッジケース１から引き出すためのリーダピン１０、リール２の回転をロックするためのロックプレート３及び圧縮コイルばね４、リール２のロック状態を解除するためのリリースパッド５、下ハーフ１Ａ及び上ハーフ１Ｂに跨ってカートリッジケース１に形成された磁気テープ引出口１Ｃを開閉するスライドドア６、スライドドア６を磁気テープ引出口１Ｃの閉位置に付勢するコイルばね７、誤消去防止爪８、カートリッジメモリ９等を組み込んで構成されている。なお、カートリッジメモリ９は、磁気テープＭＴの走行に支障をきたすことが無いように、カートリッジケース１の下ハーフ１Ａの隅に配置されている（図２（ａ）参照）
【００１４】
　カートリッジメモリ９は、図２（ｂ）に示すように、矩形の薄片形状に形成されており、樹脂製の基板９ａ上にループアンテナ９ｂとＩＣチップ９ｃが設けられている。なお、ＩＣチップ９ｃは、樹脂で形成されたグローブトップ９ｄ内に封止され保護されている。ＩＣチップ９ｃはループアンテナ９ｂと電気的に接続されており、磁気テープカートリッジＭＣの外部からループアンテナ９ｂに電磁波を伝播させることにより、磁気テープカートリッジＭＣの外部とデータの授受を行う。また、ＩＣチップ９ｃを駆動する電源も前記電磁波を伝播させることにより、磁気テープカートリッジＭＣの外部から供給される。このカートリッジメモリ９には、磁気テープＭＴの使用履歴、磁気テープカートリッジＭＣのシリアル番号、製造者、使用者、フォーマット形式等の制御情報（管理情報）が記憶されている。
【００１５】
　磁気テープＭＴには、カートリッジメモリ９の損傷や劣化等によって制御情報の読み出しができない場合でも、記録再生装置で磁気テープＭＴを再生できるように、カートリッジメモリ９に記憶されている制御情報のバックアップデータＢＤ（複製）が記録されている。
　図５は、磁気テープＭＴにおけるバックアップデータの記録位置を、磁気テープＭＴを解いた状態で示した図である。なお、図５においては、便宜上トラックを一つとして表している。バックアップデータの記録箇所は、特に限定されるものではないが、図５（ａ）に示すように、磁気テープＭＴの長さ方向の先端部に記録することが好ましい。このように磁気テープＭＴの先端部に記録することで、磁気テープカートリッジＭＣを記録再生装置に装填するたびに、磁気テープＭＴを特に巻き取ることなくバックアップデータＢＤを読み取ることができる。
【００１６】
　また、図５（ｂ）に示すように、バックアップデータＢＤのうち、更新されることがない情報、例えば製造者情報ＢＤ１などは、磁気テープＭＴの先端部に記録し、更新されることのある情報、例えば使用履歴ＢＤ２などは先端部とは異なる他の部分に記録しても良い。このようにすることで、バックアップデータＢＤを更新するたびに磁気テープＭＴを先端部まで巻き戻す必要がなく、データのアクセススピードの低下を防止することができる。なお、ここでいう他の部分は、１箇所でも複数箇所でも構わない。
【００１７】
　さらに、バックアップデータＢＤを分割して記録する場合には、磁気テープＭＴの予め決められた位置に記録しても良いし、予め決められた位置ではなく、バックアップデータＢＤの内容に応じて決めた位置に記録することもできる。特に、磁気テープＭＴに記録したデータの内容と、バックアップデータＢＤの内容とに関連がある場合には、図５（ｃ）に示すように、書き込まれたデータＤ３，Ｄ４に隣接した位置に関連するバックアップデータＢＤ３，ＢＤ４を記録するのが良い。このようにすることで、バックアップデータＢＤ３，ＢＤ４を記録するとき、及び参照する時に、磁気テープＭＴを走行させる長さが最小限で済み、データのアクセススピードの低下を防ぐことができる。なお、分割してバックアップデータＢＤを記録する際には、バックアップデータＢＤ（例えば、先端部のバックアップデータＢＤ１′）中に、断片化情報、すなわち、分割したバックアップデータＢＤ３，ＢＤ４の位置を示すアドレスＡＤ３，ＡＤ４を含ませる。
【００１８】
　また、図５（ｄ）に示すように、バックアップデータＢＤを分割することなく、データＤ５，Ｄ６を書き込んだ位置に隣接して、すべてのバックアップデータＢＤ５，ＢＤ６に、そのバージョン情報及び／又はタイムスタンプを含ませて記録しても良い。この場合には、カートリッジメモリ９と、磁気テープＭＴのテープ先端部のバックアップデータＢＤ１′に、最新のバックアップデータＢＤｎが存在するアドレス（例えば図５（ｄ）のＡＤ５，ＡＤ６）を記録しておく。このように、バックアップデータＢＤｎを記録するたびに、すべてのバックアップデータの内容を記録しておけば、何らかの故障によりバックアップデータＢＤｎの所在が分からなくなった場合に、磁気テープＭＴ上のバックアップデータＢＤｎをすべて検索し、バージョン情報又はタイムスタンプに基づいて最新のバックアップアップデータを判断して使用することができる。
【００１９】
　そして、このような磁気テープカートリッジＭＣを記録再生する記録再生装置１１は、内部に磁気テープ用駆動回路と、入出力インターフェース回路と、電源等が設けられており、外部コンピュータ１２にケーブル１３で接続されている（図３参照）。記録再生装置１１に磁気テープカートリッジＭＣを挿入すると、記録再生装置１１は、カートリッジメモリ９に記憶されている制御情報と磁気テープＭＴに記録されているバックアップデータＢＤの比較を行うように構成されている。記録再生装置１１は、カートリッジメモリ９の制御情報とバックアップデータＢＤの比較結果に基づいて動作させることができ、外部コンピュータ１２の記録再生の指示に基づいて記録再生装置１１を用いて磁気テープＭＴに記録再生することができる。
【００２０】
　具体的には、カートリッジメモリ９の制御情報と磁気テープＭＴのバックアップデータＢＤが一致しない場合は、記録再生装置１１は、磁気テープＭＴに対して初期化又は磁気テープＭＴのバックアップデータＢＤに基づいた再生のみ行うように制御される。
【００２１】
　また、カートリッジメモリ９の制御情報が、記録再生装置に挿入した際に読み出せないと、記録再生装置１１は、磁気テープＭＴのバックアップデータＢＤに基づいた再生のみ行うように制限される。この結果、外部コンピュータ１２は、磁気テープＭＴに記録された内容を読み取るだけにその動作が限定される。
【００２２】
　また、カートリッジメモリ９の制御情報と磁気テープＭＴのバックアップデータＢＤが一致した場合、記録再生装置１１は、外部コンピュータ１２からの指示に基づいて磁気テープＭＴを制御情報又はバックアップデータＢＤに基づいて記録再生する。
【００２３】
　なお、カートリッジメモリ９の制御情報に予めパスワードを記憶させておき、磁気テープカートリッジＭＣの利用者が外部コンピュータ１２を介してパスワードを入力して認証を行い、入力されたパスワードが一致した場合のみ記録再生装置１１の記録再生動作をできるようにしてもよい。
【００２４】
　次に、磁気テープカートリッジＭＣを記録再生装置１１で記録再生する際の動作を図４に示すフローチャートを参照して説明する。
【００２５】
　まず、図４に示すように、磁気テープカートリッジＭＣを記録再生装置１１に挿入すると（図３参照）、この記録再生装置１１は、カートリッジメモリ９に記憶されている磁気テープＭＴの制御情報を読み出す（Ｓ１）。
【００２６】
Ｓ１で、カートリッジメモリ９から制御情報が読み出せないと（Ｓ１、Ｎｏ）、カートリッジメモリ９の交換を行うか否か利用者に選択させる（Ｓ２）。
【００２７】
　Ｓ２で、カートリッジメモリ９を交換しない（Ｓ２、ＮＯ）と選択されると記録再生装置１１は、磁気テープＭＴの全長に対してバックアップデータＢＤに基づいて再生のみ行う（Ｓ８）。
【００２８】
　Ｓ２で、カートリッジメモリ９を交換する（Ｓ２、ＹＥＳ）と選択すると、磁気テープＭＴに予め記録されているバックアップデータＢＤを用いて交換したカートリッジメモリ９に制御情報を復元するか否か利用者に選択させる（Ｓ４）。
【００２９】
　Ｓ４で、カートリッジメモリ９にバックアップデータＢＤを復元しない（Ｓ４、ＮＯ）と選択すると、磁気テープＭＴを初期化するか否かを選択させる（Ｓ５）。
この時、Ｓ５で、磁気テープＭＴを初期化しないと選択する（Ｓ５、Ｎｏ）と、記録再生装置１１は、磁気テープＭＴの全長に対してバックアップデータＢＤに基づいて再生のみ行う（Ｓ８）。
　また、Ｓ５で、初期化する（Ｓ５、ＹＥＳ）と選択すると、記録再生装置１１は、一部制御情報の引継ぎを行い、磁気テープＭＴに対して記録再生可能となる（Ｓ７）。
【００３０】
　また、Ｓ４で、カートリッジメモリ９にバックアップデータＢＤを復元すると選択すると（Ｓ４、ＹＥＳ）、記録再生装置１１は、バックアップデータＢＤをカートリッジメモリ９に復元すると共に、磁気テープＭＴの全長に対して、制御情報に基づいて記録再生可能になる（Ｓ６）。
【００３１】
　Ｓ１で、カートリッジメモリから制御情報が読み出すことができると（Ｓ１、ＹＥＳ）、カートリッジメモリ９の制御情報と磁気テープＭＴとのバックアップデータＢＤの比較を行う（Ｓ３）。
【００３２】
　Ｓ３で、制御情報とバックアップデータＢＤが一致しないと（Ｓ３、ＮＯ）、Ｓ４でカートリッジメモリ９にバックアップデータＢＤを復元するか選択をさせる。Ｓ４の結果に応じて、復元する場合（Ｓ４、ＹＥＳ）、記録再生装置１１は、磁気テープＭＴに対して記録再生可能（Ｓ７）となる。
また、復元しない場合（Ｓ４、ＮＯ）は、磁気テープＭＴを初期化するか否かを選択をさせる（Ｓ５）。初期化する場合（Ｓ５、ＹＥＳ）、記録再生装置１１は、一部制御情報の引継ぎを行い、磁気テープＭＴに対して記録再生可能（Ｓ７）となる。また、初期化しない場合（Ｓ５、ＮＯ）、記録再生装置１１は、磁気テープＭＴに対して再生のみ行うことができる。
【００３３】
また、Ｓ３で、カートリッジメモリ９の制御情報とバックアップデータＢＤを比較して一致すると（Ｓ３、ＹＥＳ）、記録再生装置１１は、制御情報に基づいて磁気テープＭＴに対して記録再生することができる（Ｓ６）
【００３４】
　以上、説明したように、記録再生装置１１は、カートリッジメモリ９に故障や損傷等が生じた場合でも、カートリッジメモリ９の記憶情報が、磁気テープＭＴにバックアップデータＢＤとして記録されているので、このバックアップデータＢＤに基づいて少なくとも記録再生装置１１は、磁気テープカートリッジを再生することができる。
【００３５】
　また、カートリッジメモリ９に故障や損傷等が生じた際に、カートリッジメモリ９を交換できるように構成することで、磁気テープＭＴに記録されているバックアップデータＢＤを、記録再生装置１１を用いて交換したカートリッジメモリ９に記憶させることができる。なお、磁気テープＭＴのバックアップデータＢＤをカートリッジメモリ９に記憶させるので、磁気テープＭＴの使用履歴や再生回数等の管理情報及び制御情報を引き継ぐことができる。
【００３６】
　また、本発明の磁気テープカートリッジＭＣ及び記録再生装置１１は、磁気テープカートリッジＭＣを記録再生装置１１に挿入した際にカートリッジメモリ９に記憶されている制御情報と磁気テープＭＴに記録されたバックアップデータＢＤを比較し、比較結果に応じて記録再生装置１１の記録再生動作を制御することができる。
【００３７】
　また、本実施の形態で磁気テープカートリッジを用いたが本発明を限定するものではなく、例えば、ビデオテープ等の記録媒体カートリッジを用いることができる。
【図面の簡単な説明】
【００３８】
【図１】本実施の形態に係る磁気テープカートリッジの構成を示す分解斜視図である。
【図２】（ａ）　カートリッジメモリがカートリッジケースの下ハーフに取り付けられた状態を示す斜視図である。　（ｂ）　カートリッジメモリの外観を示す斜視図である。
【図３】磁気テープカートリッジを記録再生する記録再生装置を示す斜視図である。
【図４】記録再生装置における制御情報の処理方法を示したフローチャートである。
【図５】磁気テープ上に記録したバックアップデータの記録位置の例を示すものであり、（ａ）は、先端部に記録した場合、（ｂ）は、分割して記録した場合、（ｃ）は、データと関連するバックアップデータをデータに隣接して記録した場合、（ｄ）は、バックアップデータを更新するたびにそのすべてを記録する場合を示す。
【符号の説明】
【００３９】
　１　　　カートリッジケース
　２　　　リール
　９　　　カートリッジメモリ
　１１　　記録再生装置
　ＭＴ　　磁気テープ
　ＭＣ　　磁気テープカートリッジ
【図１】
2004127488.tif 000003
【図２】
2004127488.tif 000004
【図３】
2004127488.tif 000005
【図４】
2004127488.tif 000006
【図５】
2004127488.tif 000007